(57)【要約】【目的】  着用時の違和感が無く、又着用の事実を他人から認識しづらいがゆえに他者の目が気にならず、更には確実に尿を吸収することが可能な失禁者用パンツ等を提供すること。【構成】  上記課題を解決するために本発明は以下に示す三つの部材より構成した。  前身頃部、後身頃部及び両者の間に存する股下部より成り、胴回り部、脚回り部を有するパンツにおいて、前身頃部の身体接触面側にポケット部を設けると共に、該ポケット部の陰茎接触面側に孔部を設けた失禁者用パンツ。ポケット部内に収納して使用される、内部に吸収コアを封入すると共に表面に陰茎を挿入するための切り込みを有する吸収性部材。失禁者用パンツと共に使用される抜け防止部材であって、布片あるいは紙片の中央部に、周縁部に伸縮性を付与した孔部を設けた抜け防止部材。【選択図】        図９
2006328601.tif 000002
【特許請求の範囲】
【請求項１】
前身頃部、後身頃部及び両者の間に存する股下部より成り、胴回り部、脚回り部を有するパンツにおいて、前身頃部１３の身体接触面側にポケット部２０を設けると共に、該ポケット部２０の陰茎接触面側に孔部２１を設けた失禁者用パンツ１０、及びポケット部２０内に収納して使用される吸収性部材であって、袋体４１内部に設けた袋部４４内に吸収コア４２を封入すると共に袋体４１の表面に陰茎を挿入するための切り込み４３を有する吸収性部材４０、及び失禁者用パンツ１０と共に使用される抜け防止部材であって、布片あるいは紙片の中央部に、周縁部に伸縮性を付与した孔部３１を設けた抜け防止部材３０。
【請求項２】
抜け防止部材３０を袋体４１内に取り付けたことを特徴とする請求項１記載の吸収性部材４０。
【請求項３】
抜け防止部材３０をポケット部２０内に取り付けたことを特徴とする請求項１記載の失禁者用パンツ１０。
【発明の詳細な説明】
【技術分野】
【０００１】
本発明は失禁者用パンツ、より詳しくは男性失禁者用パンツ及び当該パンツと共に使用する吸収性部材、抜け防止部材に関する。
【背景技術】
【０００２】
高齢化に伴い、あるいは事故や病気の後遺症として失禁に悩むものは多い。殊に仕事その他の社会活動を行ううえで失禁は大きな悩みとなる。そこで大人用おむつを装着して社会活動を行うといった対策が採られることになるが、ごわごわした装着感や大人用おむつが腹部から臀部に至る部分を覆う大型のもであるため他者の目が気になるなど問題点が多い。
【０００３】
係る問題点を解決するための発明として特開２００４−４４０５０号公報記載の男性失禁者用パンツがある。ここに同公報記載の発明は、パンツの前面内側に縦に窓をつけたポケット部を設けて成るものである。
【特許文献１】特開２００４−４４０５０号公報
【発明の開示】
【発明が解決しようとする課題】
【０００４】
上記公報記載の発明はパンツの前面内側に設けたポケット部に吸収材を収納して使用するものである。かようにパンツの前面内側だけに吸収材が装備されることから、ごわごわ感も少なく、又外見上も通常のパンツと大差ないことから他人の目もあまり気にならず有用な発明といえる。
【０００５】
本発明は上記公報に記載された発明のかような有用な点を生かしつつ、更に装着者が様々な動きをしても陰茎がポケット部から抜けにくい男性失禁者用パンツ、吸収性部材及び陰茎がポケット部材から抜けることを防止するための抜け防止部材を提供することを目的とする。
【課題を解決するための手段】
【０００６】
上記課題を解決するために請求項１記載の発明は以下に示す三つの部材より構成した。
【０００７】
前身頃部、後身頃部及び両者の間に存する股下部より成り、胴回り部、脚回り部を有するパンツにおいて、前身頃部の身体接触面側にポケット部を設けると共に、該ポケット部の陰茎接触面側に孔部を設けた男性失禁者用パンツ。
【０００８】
ポケット部内に収納して使用される吸収性部材であって、袋体内部に設けた袋部内に吸収コアを封入すると共に袋体の表面に陰茎を挿入するための切り込みを有する吸収性部材。
【０００９】
上述の失禁者用パンツと共に使用される抜け防止部材であって、布片あるいは紙片の中央部に、周縁部に伸縮性を付与した孔部を設けた抜け防止部材。
【００１０】
又請求項２記載の発明は抜け防止部材を吸収性部材の袋体内に取り付けて構成した。
【００１１】
請求項３記載の発明は抜け防止部材を失禁者用パンツのポケット部内に取り付けて構成した。
【発明の効果】
【００１２】
以下、上述の部材より成る本発明が如何にして課題を解決する効果を有するかを図面を参照しながら述べる。
【００１３】
図１は本発明に係る失禁者用パンツの正面図であり、図２は同背面図であり、図３は同右側面図であり、図４は同平面図であり、図５は同底面図であり、図６はＡ−Ａ線における拡大断面図であり、図７は裏返した状態の正面図であり、図８は正面・右側面側から見た斜視図であり、図９は背面・右側面側から見た斜視図であり、図１０は本発明に係る抜け防止部材の斜視図であり、図１１はＢ−Ｂ線における拡大断面図であり、図１２は使用状態を示す説明図であり、図１３は吸収性部材の正面図であり、図１４はＣ−Ｃ線における拡大断面図であり、図１５は請求項２記載の吸収性部材のＣ−Ｃ線における拡大断面図であり、図１６は請求項２記載の吸収性部材の他の実施形態を示す拡大断面図であり、図１７は請求項２記載の吸収性部材の他の実施形態を示す拡大断面図であり、図１８は請求項３記載の発明におけるポケット部の拡大断面図であり、図１９は請求項３記載の発明におけるポケット部の他の実施形態を示す拡大断面図である。尚、図６、図１１、図１４、図１５、図１６、図１７、図１８及び図１９においては断面を作図上実際の厚みより拡大して表示してある。
【００１４】
本発明に係る失禁者用パンツは図１乃至図５に示すように前身頃部１３，後身頃部１４及び両者の間に存する股下部１５を有し、前身頃部１３と後身頃部１４を縫着等の方法で繋ぎ合わせることで着用者の胴回りにくる胴回り部１１及び着用者の大腿部回りにくる脚回り部１２を形成した通常の下着たるパンツと同様の形態を有するものである。そして図６に示すように前身頃部１３の内側、すなわち着用者の身体接触面側にはポケット部２０が設けてある。そしてこのポケット部２０に図９に示すように吸収性部材４０を収納して着用するものである。
【００１５】
かように吸収性部材４０をポケット部２０内に収納することから着用時のごわごわ感が少なくなるのである。又大人用おむつのような大型のものではなく、尿漏れのみに対応すべく前身頃部１３の内側部分に設けたポケット部２０のみに吸収性部材４０を収納することから見た目も通常のパンツを着用しているのと大差なく、他者の目を気にすることも少なくなるのである。
【００１６】
又本発明は着用者の陰茎に図１０、図１１に示す抜け防止部材３０を装着して使用するものである。ここに抜け防止部材３０は布片あるいは紙片の中央部に、縁部に伸縮性を付与した孔部３１を設けたものである。
【００１７】
請求項１記載の発明における抜け防止部材の具体的装着方法は、ポケット部２０の孔部２１，更に吸収性部材４０に設けた切り込み４３に陰茎を挿入し、そのうえで吸収性部材４０における袋体４１の上部開放面から手を差し入れ、抜け防止部材３０を陰茎に装着するのである。
【００１８】
かように抜け防止部材３０も袋体４１内に収納されるがゆえに、図１２に示すように抜け防止部材３０が袋体４１の内側（吸収コア４２収納側）に当接することになり、陰茎５０が袋体４１より抜けることを可及的に防止できるのである。つまりは着用者が階段の上り下りをする、足を組み、かがむ、正座するといった動きをとったとしても陰茎が袋体４１から抜けることを可及的に防止できるのである（尚、図１２においては図示しやすくするため作図上断面形状を示すハッチングを吸収性部材４０には施していない）。
【００１９】
これにより失禁をした際にポケット部２０内に収納された吸収性部材４０により確実に尿を吸収することが可能となるのである。又尿を吸収した吸収コア４２に触れるのは陰茎の亀頭近辺に限られることから、失禁に伴う不快感も極限られものになるのである。
【００２０】
請求項２記載の発明においては、図１５に示すように抜け防止部材３０を吸収性部材４０の袋体４１内に取り付けてある。使用方法は請求項１記載の発明と同じく孔部２１、切り込み４３、孔部３１に陰茎を挿入するものである。孔部３１が伸縮性を有するものであるがゆえに、陰茎が吸収性部材４０より抜けることが防止できるものである。
【００２１】
請求項３記載の発明においては図１８に示すように抜け防止部材３０を失禁者用パンツ１０のポケット部２０内に取り付けてある。使用方法は請求項１記載の発明と同じく孔部２１、切り込み４３、孔部３１に陰茎を挿入するものである。孔部３１が伸縮性を有するものであるがゆえに、陰茎が吸収性部材４０より抜けることが防止できるものである。
【発明を実施するための最良の形態】
【００２２】
以下、好ましい発明の実施形態につき図面を参照しながら述べる。
【００２３】
本発明に係る失禁者用パンツは、ポケット部２０を設けてある点を除き通常の下着と同様なものである。つまり前身頃部、後身頃部及び両者の間に股下部を有し、前身頃部と後身頃部を縫製し胴回り部と脚回り部を形成する。そして胴回り部にゴム等の伸縮性材を取り付けることで伸縮性を付与し、着用時のずれ落ちを防ぐといった通常の下着たるパンツと同様の製法、素材で作成可能なものである。
【００２４】
ポケット部２０は上面が開放された袋体である。該ポケット部２０は図６に示されるように、前身頃部１３の内側（着用者の身体接触面側）に縫着や接着といった方法で取り付けられている。
【００２５】
又図６，図７に示されるように、ポケット部２０には着用者の陰茎接触面側に孔部２１が設けられている。
【００２６】
ポケット部２０の上面は吸収性部材４０の出し入れを行うために開放されている。但し収納した吸収性部材４０が上方にずれないように、ポケット部２０の縁部２２は折り返すことが好ましい。すなわち図１２に示すように折り返した縁部２２に吸収性部材４０を差し込むことで上方へのずれを防止するのである。あるいは縁部２２を吸収性部材４０の上部開放面に差し込むことで、吸収性部材４０の上方へのずれを防止することも可能である。
【００２７】
むろん本発明は縁部を折り返す形状に限定を受けるものではなく、縁部を折り返さなくとも若干の不都合は生じうるが発明の目的は達成しうるものである。
【００２８】
ポケット部２０は身体と直接接触するものであるがゆえに肌触りのより素材、例えば綿素材などで形成することが好ましい。
【００２９】
抜け防止部材３０は図１０に示すように中央部に孔部３１が設けられた布片あるいは紙片である。図中形状は四角形状であるが係る限定を受けるものではなく、円形や多角形状でも構わない。  
【００３０】
孔部３１の周縁部は伸縮性を付与してある。その方法としては図１１に示すように周縁部にゴム等の伸縮性材３２を装備するといった方法が考えられる。
【００３１】
抜け防止部材３０の素材としては不織布や紙おむつ素材、防水性や撥水性を付与した不織布等が考えられる。
【００３２】
吸収性部材４０は図１４に示すように液不透過性のシートあるいは外部（ポケット部２０に接する側）が液不透過性シート内部が液透過性シートの二重構造のシートで形成された袋体４１内に液透過性シートで形成された袋部４４が形成されており、袋部４４内には吸収性ポリマー等より成る吸収コア４２が封入してある。袋体４１の正面側には図１３に示すように切り込み４３が設けてある。又袋体４１の上面は開放してある。
【００３３】
又請求項２記載の発明においては袋体４１内に抜け防止部材３０が取り付けてある。抜け防止部材３０の取り付け方法は縫着してもよいし、両面テープ等の粘着テープで取り付けてもよいし、又接着剤を用いて接着しても構わない。あるいは面ファスナやスナップ、フック等を用いて着脱自在にしても構わない。
【００３４】
抜け防止部材３０の他の形成方法としては袋体４１を構成する液不透過性シートを用い、袋体４１と一体的に抜け防止部材３０を形成しても構わない。又袋部４４を構成する液透過性シートを用いて袋部４４と一体的に抜け防止部材３０を形成しても構わない。あるいは袋体４１を構成する液透過性シートを用い、袋体４１と一体的に抜け防止部材３０を形成しても構わない。
【００３５】
尚、吸収性部材４０に設けた切り込み４３と、抜け防止部材３０の孔部３１がおおよそ重なる位置に設ける必要がある。
【００３６】
抜け防止部材３０の取り付け位置は図１５に示すように袋体４１の正面側内面でもよいし、図１６に示すように袋体４１内に存する袋部４４に取り付けてもよいし、図１７に示すように袋体４１の背面側に取り付けても構わない。
【００３７】
請求項３記載の発明においてはポケット部２０内に抜け防止部材３０が取り付けてある。抜け防止部材３０の取り付け方法は縫着してもよいし、両面テープ等の粘着テープで取り付けてもよい。あるいは面ファスナやスナップ、フック等を用いて着脱自在にしても構わない。この際ポケット部２０に設けた孔部２１と、抜け防止部材３０の孔部３１がおおよそ重なる位置に設ける必要がある。
【００３８】
抜け防止部材３０の取り付け位置は図１８に示すようにポケット部２０の身体接触面側内面に設けてもよいし、あるいは図１９に示すように縁部２２に設けてもよい。
【図面の簡単な説明】
【００３９】
【図１】本発明に係る失禁者用パンツの正面図。
【図２】同背面図。
【図３】同右側面図。
【図４】同平面図。
【図５】同底面図。
【図６】Ａ−Ａ線における拡大断面図。
【図７】裏返した状態の正面図。
【図８】正面・右側面側から見た斜視図。
【図９】背面・右側面側から見た斜視図。
【図１０】本発明に係る抜け防止部材の斜視図。
【図１１】Ｂ−Ｂ線における拡大断面図。
【図１２】使用状態を示す説明図。
【図１３】吸収性部材の正面図。
【図１４】Ｃ−Ｃ線における拡大断面図。
【図１５】請求項２記載の吸収性部材のＣ−Ｃ線における拡大断面図。
【図１６】請求項２記載の吸収性部材の他の実施形態を示す拡大断面図。
【図１７】請求項２記載の吸収性部材の他の実施形態を示す拡大断面図。
【図１８】請求項３記載の発明におけるポケット部の拡大断面図。
【図１９】請求項３記載の発明におけるポケット部の他の実施形態を示す拡大断面図。
【符号の説明】
【００４０】
１０・・失禁者用パンツ      １３・・前身頃部
１４・・後身頃部      ２０・・ポケット部
２１・・孔部      ３０・・抜け防止部材
３１・・孔部      ４０・・吸収性部材
４１・・袋体      ４２・・吸収コア
４３・・切り込み    ４４・・袋部    
【図１】
2006328601.tif 000003
【図２】
2006328601.tif 000004
【図３】
2006328601.tif 000005
【図４】
2006328601.tif 000006
【図５】
2006328601.tif 000007
【図６】
2006328601.tif 000008
【図７】
2006328601.tif 000009
【図８】
2006328601.tif 000010
【図９】
2006328601.tif 000011
【図１０】
2006328601.tif 000012
【図１１】
2006328601.tif 000013
【図１２】
2006328601.tif 000014
【図１３】
2006328601.tif 000015
【図１４】
2006328601.tif 000016
【図１５】
2006328601.tif 000017
【図１６】
2006328601.tif 000018
【図１７】
2006328601.tif 000019
【図１８】
2006328601.tif 000020
【図１９】
2006328601.tif 000021